【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】下記の要素を備えた、患者に対し細長い医療製品を取り付けるための固定システム(10)：
上部表面(14)と下部表面とを有しており、下部表面はその表面の少なくとも一部上に粘着層(18)を備えている固定パッド(12)；
前記固定パッド(12)の上部表面上に取り付けられており、医療製品の一部を受けることができるリテイナーであって、前記リテイナー(20)は下記を含んでいる；
第１のサイド、第２のサイドおよびほぼ曲線状の断面形状のグルーブ(30)を有するベース(22)；
第１のサイドおよび第２のサイドを有するカバー(24)、前記カバー(24)の第１のサイドは前記ベース(22)の第１のサイドに取り付けられており、前記カバー(24)の第２のサイドは、前記カバー(24)の第２のサイドが前記ベース(22)の第２のサイドのほぼ上方に存在する閉止位置と前記カバー(24)の第２のサイドが前記ベース(22)の第２のサイドから離れていて前記ベース(22)内のグルーブを露出させる開放位置との間で、移動可能であり、前記カバーは、前記カバー(24)が閉止位置にある場合にはチャンネル(60)を形成する様に、前記ベース(22)内のグルーブ(30)と位置的に対応するほぼ曲線状の断面形状のグルーブ(36)を有しており、形成されたチャンネル(60)は、チャンネルの長さに沿ってチャンネル(60)の断面積が異なる様な曲線状断面形状を有しており、かつ全く反対のサイドは医療製品の受け入れられた部分の全長に沿ってリテイナー(20)により受け入れられた医療製品の一部を支持するようになされており；および
前記ベースの第２のサイドに対し前記カバーの第２のサイドを着脱可能な状態で取り付けるために、前記ベースと前記カバー間で作動しうるラッチ機構(86)。
【請求項２】請求項１に記載の固定システムであって、さらに、前記チャンネル(60)内に突出していて、前記チャンネル(60)内での医療製品の長さ方向の移動を抑制するために、前記医療製品の一部と係合し得る様に形成された少なくとも１つの保持部材を備えた固定システム。
【請求項３】前記カバー(24)が閉止位置にある場合に、前記カバー(24)と前記ベース(22)とを選択的に固定する前記ラッチ機構(86)を備えており、前記ラッチ機構(86)は、舌部(94)を形成された少なくとも１つのフレキシブルバー(92)、前記カバーが閉止位置にある場合に前記舌部(94)を受け入れる寸法で位置付けされたノッチ(106)および前記バー(92)のサイドまで延びるオペレーターレバー(98)を有しており、前記バーは、前記オペレーターの一端に横方向の力を加えることにより、前記ノッチを前記舌部から係合解除する様になされている固定システム。
【請求項４】請求項１〜３のいずれかに記載の固定システムであって、さらに、少なくとも前記チャンネルに近接して設けられ、かつ前記チャンネル(60)の前後軸にほぼ垂直方向に延びるポスト（74、78）を備えた固定システム。
【請求項５】請求項４に記載の固定システムであって、さらに、他のポスト(74、78)が前記第１のポスト(74、78)に対向して配設されており、前記ポスト(78)の一方が前記カバー(24)上に位置しており、前記他のポスト(74)が前記ベース(22)上に位置する固定システム。
【請求項６】請求項５に記載の固定システムであって、前記ポストの１つが前記他のポストに向けて突出する少なくとも１個のプロジェクション(81)を有し、前記他のポストが、前記カバーが閉止位置にある状態で前記プロジェクション(81)の少なくとも一部を受け入れる少なくとも１つの受け器(79)を有し、前記プロジェクション(81)および前記受け器(79)が前記ポストの対応する端部上に配設されている固定システム。
【請求項７】請求項１〜３のいずれかに記載の固定システムであって、前記チャンネル(60)が、近位端(proximal end)と遠位端(distal end)とを有しており、横方向に測定した場合に、前記チャンネルの幅が、チャンネルの遠位端におけるよりも近位端において、小さくなっている固定システム。
【請求項８】請求項１〜３のいずれかに記載の固定システムであって、横方向に測定した場合に、前記チャンネル(60)の少なくとも一部が、寸法的に漸減する幅を有している固定システム。
【請求項９】請求項８に記載の固定システムであって、前記チャンネル(60)がその長さ方向にほぼY-型形状を有し、該Y-型形状は、前記チャンネルの側壁と前記チャンネルの一端を分けるプロジェクション(73)との間に形成されている固定システム。
【請求項１０】請求項１〜３のいずれかに記載の固定システムであって、前記ベースグルーブ(30)のほぼ曲線状表面の少なくとも一部が、前記医療製品の受容される部分の半径にマッチする様に寸法形成された曲率半径を有している固定システム。
【請求項１１】請求項２または３に記載の固定システムであって、前記保持部材が、前記チャンネル(60)の前後軸に対しほぼ垂直に延びている固定システム。
【請求項１２】請求項１１に記載の固定システムであって、前記保持部材が、前後軸が該保持部材を貫いて延びた状態で、前記チャンネル(60)の前後軸を基準として、放射方向に延びている固定システム。
【請求項１３】請求項１１に記載の固定システムであって、前記保持部材が、前記チャンネル(60)の長手方向の一方端近くに位置する固定システム。
【請求項１４】請求項２または３に記載の固定システムであって、前記保持部材が、前記カバー(24)内のグルーブ(36)から盛り上がる第１の隆起部と前記ベース(22)内のグルーブ(30)から盛り上がる第２の隆起部とを有している固定システム。
【請求項１５】請求項１４に記載の固定システムであって、前記カバー(24)が閉じられたときに前記第１の隆起部と第２の隆起部との間で医療製品の構造部を保持することができるように、前記第１および第２の隆起部が互いに協働するように配設されている固定システム。
【請求項１６】請求項１４に記載の固定システムであって、前記第１の隆起部と第２の隆起部とが、前記チャンネル(60)内で全く反対にある固定システム。
【請求項１７】請求項１４に記載の固定システムであって、前記第１および第２の隆起部が、少なくとも１つのプロジェクション(81)と、前記カバー(24)が閉止位置にある状態において該プロジェクション(81)の少なくとも一部を受け入れる少なくとも１つの受け器(79)とを有しており、前記プロジェクション(81)及び受け器(79)が前記第１の隆起部及び第２の隆起部の末端に対応して配設されている固定システム。
【請求項１８】請求項１４に記載の固定システムであって、前記第１および第２の隆起部が、前記チャンネル(60)の長手方向の一端近くに位置する固定システム。
【請求項１９】請求項２または３に記載の固定システムであって、前記保持機構が、前記カバー(24)が閉止位置にある状態で、前記リテイナー(20)内でカテーテルの一部をピン留めするために、リテイナー(20)上に配設された隆起部を有する固定システム。
【請求項２０】請求項２または３に記載の固定システムであって、前記隆起部が、前記チャンネル(60)を分割して、長手方向において該チャンネル(60)にほぼY-型形状を付与する様に、前記チャンネル(60)内に配設されている固定システム。
【請求項２１】請求項２または３に記載の固定システムであって、前記保持部材が、前記ベース(22)および前記カバー(24)内のグルーブ(30、36)の表面(69)の少なくとも一部の上に形成されたフリクションリッジ(70)である固定システム。
【請求項２２】請求項２１に記載の固定システムであって、さらに、前記ベース(22)および前記カバー(24)内のグルーブ(30、36)の表面(69)の少なくとも一部の上に位置する複数個のフリクションリッジ(70)を備えた固定システム。
【請求項２３】請求項２１に記載の固定システムであって、前記フリクションリッジ(70)が、前記チャンネル(60)の長手方向の一端に向けて傾斜を有する固定システム。
【請求項２４】請求項２１に記載の固定システムであって、前記フリクションリッジ(70)が、長手方向において、対応するグルーブ(30、36)の表面(69)に対し鋭角をなすフロントウォール(72)を有する固定システム。
【請求項２５】請求項２または３に記載の固定システムであって、前記保持部材が、前記ベース(22)および前記カバー(24)上のグルーブ(30、36)の曲線状表面の一方の少なくとも一部上に配設された少なくとも１個の固定用細棒状突起(80)を備えた固定システム。
【請求項２６】請求項２５に記載の固定システムであって、前記固定用細棒状突起(80)が、前記チャンネル(60)の一端側に傾斜している固定システム。
【請求項２７】請求項２５に記載の固定システムであって、さらに、複数個の固定用細棒状突起(80)を備え、前記固定用細棒状突起の少なくとも一部が、互いに位置をずらした状態で、前記ベース(22)と前記カバー(24)の対向するグルーブ(30、36)の表面の(69)上に配設されている固定システム。
【請求項２８】請求項２７に記載の固定システムであって、前記固定用細棒状突起(80)の少なくとも一部が前記チャンネル(60)の一端側に傾斜しており、かつ前記固定用細棒状突起(80)の他の部分が前記チャンネル(60)の他端側に傾斜している固定システム。
【請求項２９】請求項２７に記載の固定システムであって、前記複数個の細棒状突起の少なくとも第１の固定用細棒状突起がベースグルーブ(60)の表面から延びており、前記複数個の細棒状突起の少なくとも第２の固定用細棒状突起がカバーグルーブ(36)の表面から延びており、かつ第１および第２の固定用細棒状突起が、前記チャンネル(60)の前後軸にほぼ垂直に延びるほぼ同一平面内に配設されている固定システム。
【請求項３０】請求項２または３に記載の固定システムであって、前記保持機構が、前記カバー(24)が閉じられている場合に、前記医療製品の内腔を実質的に塞ぐことなく、協働して第１および第２のメンバー間に前記医療製品の構造部分を保持しうる様に構成された少なくとも第１および第２のメンバーを有する固定システム。
【請求項３１】請求項３０に記載の固定システムであって、前記第１のメンバーが、前記第２のメンバーに向けて突き出す少なくとも１つのプロジェクション(81)を有する固定システム。
【請求項３２】請求項３０に記載の固定システムであって、前記第２のメンバーが、前記カバー(24)が閉じられた状態で、前記プロジェクション(81)の少なくとも一部を受け入れる少なくとも１つの受け器(79)を有し、かつ該プロジェクション(81)及び受け器(79)が前記第１及び第２のメンバーの対応する端部に配設されている固定システム。
【請求項３３】請求項３０に記載の固定システムであって、前記第１のメンバーがプロジェクション(81)を有し、前記第２のメンバーが、該プロジェクション(81)が延びる方向に向かい合う表面を有する固定システム。
【請求項３４】請求項３０に記載の固定システムであって、前記第２のメンバーが、さらに、対向する表面に形成された受け器(79)を備え、該受け器(79)が、カバー(24)が閉止位置にある状態で前記プロジェクション(81)の少なくとも一部を受け入れる寸法を有する固定システム。
【請求項３５】請求項３に記載の固定システムであって、前記オペレーターレバー(98)が、前記バー(92)から遠ざかる方向において前記固定パッド(12)に向けて傾斜する傾斜表面を含む固定システム。
【請求項３６】請求項３に記載の固定システムであって、前記ラッチ機構(86)が、一対の対応するノッチ(106)と協働する一対のフレキシブルバー(92)を備えた固定システム。
【請求項３７】請求項３に記載の固定システムであって、前記フレキシブルバー(92)が前記カバー(24)から吊り下げられており、前記ノッチ(106)が前記ベース(22)に形成されている固定システム。
【請求項３８】請求項３に記載の固定システムであって、さらに前記チャンネル(60)内に突出しており、前記チャンネル(60)内での医療製品の長さ方向の移動を抑制するために、前記医療製品の一部と係合し得る様に形成された少なくとも１つの保持部材を備えた固定システム。